【手続補正書】
【提出日】平成30年8月17日(2018.8.17)
【手続補正１】
【補正対象書類名】特許請求の範囲
【補正対象項目名】全文
【補正方法】変更
【補正の内容】
【特許請求の範囲】
【請求項１】
ワイヤレス媒体を介した送信のための送信バーストを生成することと、前記送信バーストが、プリアンブルと本体部分とを備え、ここにおいて、前記プリアンブルが、送信デバイスおよび送信されているデータのカテゴリーに関連する識別情報を備え、ここにおいて、
前記識別情報が、セル識別名、セルのグループに関連するグループ識別名、ユーザ機器（ＵＥ）識別名、および前記送信バーストの前記本体部分中で搬送されるデータのカテゴリーに関連するデータ識別名または前記送信の別の部分中で搬送されるデータのカテゴリーに関連するデータ識別名のうちの少なくとも１つ、のうちの少なくとも１つを備える、
前記ワイヤレス媒体を介して前記送信バーストを送信することと
を備える、ワイヤレス通信のための方法。
【請求項２】
前記送信バーストを生成することが、
プリアンブルシーケンスを決定することと、
前記識別情報に少なくとも一部基づいて、前記プリアンブルシーケンスをスクランブルすることと
を備える、請求項１に記載の方法。
【請求項３】
前記送信バーストを送信することが、
前記識別情報に少なくとも一部基づいて、前記プリアンブルのための時間または周波数ロケーションを決定することと、
前記時間または周波数ロケーションで前記プリアンブルを送信することと
を備える、請求項１に記載の方法。
【請求項４】
送信バーストを受信することと、前記送信バーストが、プリアンブルと本体部分とを備える、
前記送信バーストの前記プリアンブルに少なくとも一部基づいて、送信デバイスおよび前記本体部分中のデータのカテゴリー、または送信の別の部分中のデータのカテゴリーに関連する識別情報を決定することと
を備え、ここにおいて、
前記識別情報が、セル識別名、セルのグループに関連するグループ識別名、ユーザ機器（ＵＥ）識別名、および前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、
ワイヤレス通信のための方法。
【請求項５】
前記識別情報に少なくとも一部基づいて、前記送信バーストの前記本体部分を無視すること、または送信の別の部分を無視すること
をさらに備える、請求項４に記載の方法。
【請求項６】
前記識別情報に少なくとも一部基づいて、前記送信バーストの干渉測定値を決定することと、
前記識別情報に関連するサービングセルに前記干渉測定値を送信することと
をさらに備える、請求項４に記載の方法。
【請求項７】
前記識別情報に少なくとも一部基づいて、前記送信バーストの干渉測定値を決定することと、
前記干渉測定値に少なくとも一部基づいて、前記送信バーストを消去することと
をさらに備える、請求項４に記載の方法。
【請求項８】
ワイヤレス媒体を介した送信のための送信バーストを生成するための手段と、前記送信バーストが、プリアンブルと本体部分とを備え、ここにおいて、前記プリアンブルが、送信デバイスおよび送信されているデータのカテゴリーに関連する識別情報を備え、ここにおいて、
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、
前記ワイヤレス媒体を介して前記送信バーストを送信するための手段と
を備える、ワイヤレス通信のための装置。
【請求項９】
前記送信バーストを生成するための前記手段が、
プリアンブルシーケンスを決定するための手段と、
前記識別情報に少なくとも一部基づいて、前記プリアンブルシーケンスをスクランブルするための手段と
を備える、請求項８に記載の装置。
【請求項１０】
前記送信バーストを送信するための前記手段が、
前記識別情報に少なくとも一部基づいて、前記プリアンブルのための時間または周波数ロケーションを決定するための手段と、
前記時間または周波数ロケーションで前記プリアンブルを送信するための手段と
を備える、請求項８に記載の装置。
【請求項１１】
送信バーストを受信するための手段と、前記送信バーストが、プリアンブルと本体部分とを備える、
前記送信バーストの前記プリアンブルに少なくとも一部基づいて、送信デバイスおよび前記本体部分中のデータのカテゴリー、または送信の別の部分中のデータのカテゴリーに関連する識別情報を決定するための手段と
を備え、ここにおいて、
前記識別情報が、セル識別名、セルのグループに関連するグループ識別名、ユーザ機器識別名、前記送信バーストの前記本体部分中で搬送されるデータのカテゴリーに関連するデータ識別名または送信の別の部分中で搬送されるデータのカテゴリーに関連するデータ識別名のうちの少なくとも１つ、のうちの少なくとも１つを備える、
ワイヤレス通信のための装置。
【請求項１２】
前記識別情報に少なくとも一部基づいて、前記送信バーストの前記本体部分、または送信の別の部分を無視するための手段
をさらに備える、請求項１１に記載の装置。
【請求項１３】
前記識別情報に少なくとも一部基づいて、前記送信バーストの干渉測定値を決定するための手段と、
前記識別情報に関連するサービングセルに前記干渉測定値を送信するための手段と
をさらに備える、請求項１１に記載の装置。
【請求項１４】
前記送信バーストの干渉測定値を決定するための手段と、
前記干渉測定値に少なくとも一部基づいて、前記送信バーストを消去するための手段と
をさらに備える、請求項１１に記載の装置。
【請求項１５】
コンピューティングデバイスのプロセッサ上で実行されるとき、請求項１−３および／または４−７に記載の方法のうちのいずれかを行うように適応されたコンピュータプログラム。
【手続補正２】
【補正対象書類名】明細書
【補正対象項目名】０１３０
【補正方法】変更
【補正の内容】
【０１３０】
[0142]  本開示についての以上の説明は、当業者が本開示を作成または使用できるように与えられたものである。本開示への様々な変更は当業者には容易に明らかとなり、本明細書で定義した一般原理は、本開示の範囲から逸脱することなく他の変形形態に適用され得る。従って、本開示は、本明細書で説明した例および設計に限定されるべきでなく、本明細書で開示した原理および新規の特徴に合致する最も広い範囲を与えられるべきである。
以下に本願発明の当初の特許請求の範囲に記載された発明を付記する。
［Ｃ１］
ワイヤレス媒体を介した送信のための送信バーストを生成することと、前記送信バーストがプリアンブルと本体部分とを備え、ここにおいて、前記プリアンブルが、送信デバイスまたは送信されているデータのカテゴリーのうちの少なくとも１つに関連する識別情報を備える、
前記ワイヤレス媒体を介して前記送信バーストを送信することと
を備える、ワイヤレス通信のための方法。
［Ｃ２］
前記送信バーストを生成することが、
プリアンブルシーケンスを決定することと、
前記識別情報に少なくとも一部基づいて、前記プリアンブルシーケンスをスクランブルすることと
を備える、Ｃ１に記載の方法。
［Ｃ３］
前記送信バーストを送信することが、
前記識別情報に少なくとも一部基づいて、前記プリアンブルのための時間または周波数ロケーションを決定することと、
前記時間または周波数ロケーションで前記プリアンブルを送信することと
を備える、Ｃ１に記載の方法。
［Ｃ４］
前記時間または周波数ロケーションが、一定の間隔で離間したサブキャリアを備える、Ｃ３に記載の方法。
［Ｃ５］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ１に記載の方法。
［Ｃ６］
前記送信バーストを送信することが、免許不要無線周波数スペクトル帯域上で送信することを備える、Ｃ１に記載の方法。
［Ｃ７］
前記送信バーストが、時分割複信（ＴＤＤ）送信を備える、Ｃ１に記載の方法。
［Ｃ８］
送信バーストを受信することと、前記送信バーストが、プリアンブルと本体部分とを備える、
前記送信バーストの前記プリアンブルに少なくとも一部基づいて、送信デバイス、前記本体部分中のデータのカテゴリー、または送信の別の部分中のデータのカテゴリーのうちの少なくとも１つに関連する識別情報を決定することと
を備える、ワイヤレス通信のための方法。
［Ｃ９］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ８に記載の方法。
［Ｃ１０］
前記識別情報に少なくとも一部基づいて、前記送信バーストの前記本体部分を無視すること、または送信の別の部分を無視すること
をさらに備える、Ｃ９に記載の方法。
［Ｃ１１］
前記識別情報に少なくとも一部基づいて、前記送信バーストの干渉測定値を決定することと、
前記識別情報に関連するサービングセルに前記干渉測定値を送信することと
をさらに備える、Ｃ９に記載の方法。
［Ｃ１２］
前記識別情報に少なくとも一部基づいて、前記送信バーストの干渉測定値を決定することと、
前記干渉測定値に少なくとも一部基づいて、前記送信バーストを消去することと
をさらに備える、Ｃ９に記載の方法。
［Ｃ１３］
前記受信されたプリアンブルに少なくとも一部基づいて、チャネル推定を決定することをさらに備える、Ｃ８に記載の方法。
［Ｃ１４］
前記受信されたプリアンブルに少なくとも一部基づいて、前記送信バーストの前記本体部分の始まりを決定すること
をさらに備える、Ｃ８に記載の方法。
［Ｃ１５］
前記送信バーストが、免許不要無線周波数スペクトル帯域上で受信される、Ｃ８に記載の方法。
［Ｃ１６］
前記送信バーストが、時分割複信（ＴＤＤ）通信を備える、Ｃ８に記載の方法。
［Ｃ１７］
ワイヤレス媒体を介した送信のための送信バーストを生成するための手段と、前記送信バーストがプリアンブルと本体部分とを備え、ここにおいて、前記プリアンブルが、送信デバイスまたは送信されているデータのカテゴリーのうちの少なくとも１つに関連する識別情報を備える、
前記ワイヤレス媒体を介して前記送信バーストを送信するための手段と
を備える、ワイヤレス通信のための装置。
［Ｃ１８］
前記送信バーストを生成するための前記手段が、
プリアンブルシーケンスを決定するための手段と、
前記識別情報に少なくとも一部基づいて、前記プリアンブルシーケンスをスクランブルするための手段と
を備える、Ｃ１７に記載の装置。
［Ｃ１９］
前記送信バーストを送信するための前記手段が、
前記識別情報に少なくとも一部基づいて、前記プリアンブルのための時間または周波数ロケーションを決定するための手段と、
前記時間または周波数ロケーションで前記プリアンブルを送信するための手段と
を備える、Ｃ１７に記載の装置。
［Ｃ２０］
前記時間または周波数ロケーションが、一定の間隔で離間したサブキャリアを備える、Ｃ１９に記載の装置。
［Ｃ２１］
前記識別情報が、セル識別名、セルのグループに関連するグループ識別名、ユーザ機器（ＵＥ）識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ１７に記載の装置。
［Ｃ２２］
前記送信バーストが、時分割複信（ＴＤＤ）送信を備える、Ｃ１７に記載の装置。
［Ｃ２３］
送信バーストを受信するための手段と、前記送信バーストが、プリアンブルと本体部分とを備える、
前記送信バーストの前記プリアンブルに少なくとも一部基づいて、送信デバイス、前記本体部分中のデータのカテゴリー、または送信の別の部分中のデータのカテゴリーのうちの少なくとも１つに関連する識別情報を決定するための手段と
を備える、ワイヤレス通信のための装置。
［Ｃ２４］
前記識別情報が、セル識別名、セルのグループに関連するグループ識別名、ユーザ機器識別名、前記送信バーストの前記本体部分中で搬送されるデータのカテゴリーに関連するデータ識別名、または送信の別の部分中で搬送されるデータのカテゴリーに関連するデータ識別名のうちの少なくとも１つを備える、Ｃ２３に記載の装置。
［Ｃ２５］
前記識別情報に少なくとも一部基づいて、前記送信バーストの前記本体部分、または送信の別の部分を無視するための手段
をさらに備える、Ｃ２４に記載の装置。
［Ｃ２６］
前記識別情報に少なくとも一部基づいて、前記送信バーストの干渉測定値を決定するための手段と、
前記識別情報に関連するサービングセルに前記干渉測定値を送信するための手段と
をさらに備える、Ｃ２４に記載の装置。
［Ｃ２７］
前記送信バーストの干渉測定値を決定するための手段と、
前記干渉測定値に少なくとも一部基づいて、前記送信バーストを消去するための手段とをさらに備える、Ｃ２４に記載の装置。
［Ｃ２８］
前記受信されたプリアンブルに少なくとも一部基づいて、チャネル推定を決定するための手段
をさらに備える、Ｃ２３に記載の装置。
［Ｃ２９］
前記受信されたプリアンブルに少なくとも一部基づいて、前記送信バーストの前記本体部分の始まりを決定するための手段
をさらに備える、Ｃ２３に記載の装置。
［Ｃ３０］
前記送信バーストが、時分割複信（ＴＤＤ）通信を備える、Ｃ２３に記載の装置。